(57)【要約】【課題】  上記従来技術では、視聴したい番組リストを生成するためにユーザが検索のために必要な情報を設定する必要があった。しかし、情報を設定するのは手間がかかり、その使い勝手が良くない。【解決手段】  放送受信記録再生装置において、ユーザが視聴中の番組に関する情報を、一定時間前から現在に至る範囲で収集し続けながら、頻出するキーワードを抽出し、電子番組表や、コンテンツリスト（記録済みのものや、ネットワークで配信されるものを含む）から関連するものを自動的に表示、記録再生するためのリストに登録あるいは更新する。ユーザが本発明の機能を有効化した際に、自動的に番組を切り替えながら連続して視聴できる環境を提供することで、使い勝手を向上する。【選択図】  図１
2008118315.tif 000002
【特許請求の範囲】
【請求項１】
デジタル放送データを受信、記録再生できる放送受信記録再生装置において、
電子番組表等で利用される前記デジタル放送データに関連する番組情報を取得する手段と、
ユーザがチャンネル切り替えを行いながら視聴している番組の情報から重複するキーワードを抽出する手段を備え、
前記キーワードからユーザが所望すると思われる番組を、表示あるいは記録再生するためのリストを自動的に生成し、ユーザによる所定の操作により、自動的にチャンネルの切り替えを行いながら表示する特報モードを有することを特徴とする放送受信記録再生装置。
【請求項２】
請求項１に記載の放送受信記録再生装置において、
前記特報モード有効時に、ユーザがチャンネル切り替えを行いながら視聴している番組の情報から抽出できるキーワードも加味して、表示あるいは記録再生するためのリストを自動的に更新する手段を備える、放送受信記録再生装置。
【請求項３】
請求項１または２に記載の放送受信記録再生装置において、
前記特報モードに利用する情報として、前記デジタル放送データに関連する番組情報を利用することを特徴とする放送受信記録再生装置。
【請求項４】
請求項１または２に記載の放送受信記録再生装置において、
前記特報モードに利用する情報として、視聴中の映像データから文字情報をキーワードとして抽出して利用することを特徴とする放送受信記録再生装置。
【請求項５】
請求項１または２に記載の放送受信記録再生装置において、
前記特報モードに利用する情報として、視聴中の音声データから文字変換し、その文字情報からキーワードとして抽出して利用することを特徴とする放送受信記録再生装置。
【請求項６】
請求項１または２に記載の放送受信記録再生装置において、
前記特報モードに利用する情報として、
前記デジタル放送データに関連する番組情報と、
視聴中の映像データからキーワードとして抽出した第１の文字情報と、
視聴中の音声データから文字変換し、キーワードとして抽出した第２の文字情報と、
を組み合わせて利用することを特徴とする放送受信記録再生装置。
【発明の詳細な説明】
【技術分野】
【０００１】
本発明は、映像や音声を受信記録再生可能な装置に係り、特に、テレビや、レコーダ等、記録装置と、リモコン等の操作用ボタンを備える装置に関する。
【背景技術】
【０００２】
パーソナルコンピュータ、AV機器、情報家電機器等様々な機器で扱われる映像や音声データがデジタル化されている。これらの機器で、放送されている番組や、記録済みのコンテンツ、インターネット等のネットワークで配信されているコンテンツを受信再生する際に、ユーザは所望の情報を得るために、番組（チャンネル）切り替えを行いながら視聴することも多い。
【０００３】
従来の放送受信記録再生装置では、以下に示す文献のように、ユーザがカテゴリ等を設定して視聴したい番組を時間軸に沿うように表示リストを生成する技術や装置があった。
【０００４】
【特許文献１】特開2001-333358号公報
【発明の開示】
【発明が解決しようとする課題】
【０００５】
上記従来技術では、視聴したい番組リストを生成するためにユーザが検索のために必要な情報を設定する手間があった。しかし、ユーザは、あるときはニュース等の番組を視聴しながら特報のような情報を連続して視聴したい場合や、たまたま視聴したドラマで気になる名前を知らない俳優を見つけ、その俳優の情報を知りたくなり、ひいては出演する番組を確認したくなる場合もある。このような時に設定画面を開いて、必要な情報を設定するのは手間がかかり、その使い勝手が良くない。
【課題を解決するための手段】
【０００６】
上記課題は、一例として特許請求の範囲に記載の構成により解決することができる。
【発明の効果】
【０００７】
本発明により、ユーザが所望する番組を連続して視聴する機能を実現する放送受信記録再生装置を提供できる。
【発明を実施するための最良の形態】
【０００８】
以下、本発明の実施例を説明する。
【実施例１】
【０００９】
先ず、図１は本発明を適用した一実施形態である放送受信記録再生装置と、ネットワークとの接続を示す構成図である。図１において、１００はレコーダ、１０１は外部機器、１０２はネットワークを示す。システム制御回路１０３はCPUやメモリを持ち、システム全体を制御する。図示はしないが、一般的にユーザがボタン等を操作する際の入力情報も、システム制御回路１０３が処理する。１１２の復調回路は、アンテナ１１３にて受信した映像音声情報を復調し、映像音声データを取得し、CODEC(COmpression/DECompression)回路１０５へデータを渡す。１０５のCODEC回路は、コンテンツのストリームデータを取り出し、（例えば、現在のデジタル放送では、複数の番組データが散りばめられ１つのストリームとして送信されているため、受信側で記録したい番組の情報を抽出する。構成図を簡略化するため記載しないが、前述の抽出回路がCODEC回路と別回路となっていても良い。）必要に応じてMPEG(Moving Picture Experts Group)やJPEG(Joint Photographic coding Experts Group)と言った映像、音声情報の圧縮を行う。これらの映像音声データや、外部入力端子１１４からの入力信号を外部入力回路１０４が所望の信号変換処理を行い得られた映像音声データは、必要に応じて、CODEC回路１０５にて圧縮され、記録制御回路１０６にて、記録媒体１０７のHDD(Hard Disk Drive)や、記録媒体１１５のDVD(Digital Versatile Disc)に記録される。なお、本実施形態において、書き込むための記録媒体は、HDDや、DVDであるものとして説明をするが、本発明はこれに限らず、リムーバル用途での利用を想定した、セキュリティ機能に対応したHDD、光磁気ディスク、半導体メモリなど、情報を記録する記録媒体に適応することができる。
【００１０】
また、扱う映像音声情報が著作権保護の必要がある場合などは、上記において記録する前に、暗号化/復号化回路１１１にて暗号化/復号化鍵を生成し、暗号化してから記録する。
【００１１】
アンテナ１１３にて受信した映像音声情報や、記録時の映像音声データ、再生時に記録媒体１０７、１０９から記録制御回路１０６が読み出したデータを、必要に応じて暗号化/復号化回路１１１にて複合化し、CODEC回路１０５にてデコード(伸張)処理したデータを、表示制御回路１０８にて表示装置１０９へ出力する。ネットワーク制御回路１１０は、前記映像音声データをネットワークから取得する処理を行う。これにより、レコーダ１００の扱うデータを取得するために、ネットワーク接続される携帯電話や、PDA、PC、レコーダと言った機器（外部機器１０１）から双方からアクセスすることが可能となる。
【００１２】
図２は、本発明を適用した一実施形態であるレコーダにおいて、ユーザが最近視聴した番組から抽出したキーワードの優先付けされたリストと、その関連する番組情報を時系列にまとめた視聴候補の番組リスト示すものである。
【００１３】
図２において、２００はキーワードリストを示し、２０１は優先度情報を示し、頻出したキーワードほど上位に設定される。２０２はキーワードを示し、後述する視聴候補を選択する際に利用される。２０３は視聴時間情報を示し、よりユーザが長く視聴した番組で抽出されたキーワードほど上位に設定される。
【００１４】
２１０は視聴候補リストを示し、２１１はメディア情報を示し、放送波で伝送されるコンテンツ、記録済みコンテンツ、ネットワーク上のコンテンツ、接続された外部機器上のコンテンツのどのルートから取得できる番組かを示す。２１２は２１１で指定されたメディア上のどのコンテンツを指定するかを示す番組情報を格納する。
【００１５】
図３は、本発明を適用した一実施形態であるレコーダにおいて、表示される画面例を示す。後述の実施例にて説明する。
【００１６】
次に、本発明を適用した一実施形態であるレコーダにおいて、視聴候補リスト登録更新時の動作フローについて、図４を用いて説明する。
【００１７】
ユーザによる視聴が開始され、Ｓ４００にて視聴中の番組情報の取得を行う。例えば、システム制御回路１０３が、アンテナ１１３にて受信した情報を、復調回路１１２で復調し、CODEC回路１０５あるいはシステム制御回路１０３にて必要な番組情報を取り出し、システム制御回路１０３がキーワードを抽出する。システム制御回路１０３が、Ｓ４０３にて重複するキーワードの優先度を上げる処理を行い、Ｓ４０４にて視聴候補リストの登録や更新を行う。
【００１８】
ユーザにより、特報モードが有効化された場合、システム制御回路１０３が、Ｓ４０５にてこれを判定し、以降無効化されるまでＳ４０６にて視聴候補リストの情報に基づいて視聴する番組を自動的に切り替える。視聴候補番組の配信時刻が重複している場合は、裏録画し、空いた時間に再生できるようＳ４０４とＳ４０６にて調整される。
【００１９】
特報モードに関わらず、Ｓ４００からＳ４０４の処理は繰り返し行われ、視聴候補リストは最新の情報に更新される。
【００２０】
上記により、ユーザが視聴したい番組をいつでも連続して視聴できる、使い勝手の良いレコーダを実現できる。
【実施例２】
【００２１】
次いで、本発明を適用した第二の実施形態である放送受信記録再生装置について説明する。
構成については、実施例１と同様である。実施例１との差異は、ユーザが視聴する番組から情報を取得する際に、既知の技術により表示映像から文字情報を抽出して、視聴候補リスト更新時の情報として利用する点である。この実現方法について、図３と、図４を利用して説明する。
【００２２】
図３において、３００に示した画面が、表示制御回路１０８にて表示内容が生成され、表示回路１０９にて表示される。ここで、システム制御回路１０３が、CODEC回路１０５、表示制御回路１０８を制御し、３０１、３０２に示した画面上の文字情報を抽出する。
【００２３】
図４において、S４００までは前述実施例１と同様で、システム制御回路１０３が、Ｓ４０１にて前述の表示される内容から文字情報を抽出してキーワードとして、Ｓ４０３にて優先度付け処理に利用できるようにする。
【００２４】
以降、同様にして、ユーザが視聴したい番組をいつでも連続して視聴できる、使い勝手の良いレコーダを実現できる。
【実施例３】
【００２５】
次に、本発明を適用した第三の実施形態である放送受信記録再生装置について説明する。
構成については、実施例１と同様である。実施例１との差異は、ユーザが視聴する番組から情報を取得する際に、既知の技術により視聴中の番組の音声から文字情報を抽出して、視聴候補リスト更新時の情報として利用する点である。この実現方法について、図３と、図４を利用して説明する。
【００２６】
図３において、３００に示した画面が、表示制御回路１０８にて表示内容が生成され、表示回路１０９にて表示される。ここで、システム制御回路１０３が、CODEC回路１０５を制御し、３０３に示した放送あるいは再生されている音声から文字情報を抽出する。
【００２７】
図４において、S４００までは前述実施例１と同様で、システム制御回路１０３が、Ｓ４０２にて前述の音声から文字情報を抽出してキーワードとして、Ｓ４０３にて優先度付け処理に利用できるようにする。
【００２８】
以降、同様にして、ユーザが視聴したい番組をいつでも連続して視聴できる、使い勝手の良いレコーダを実現できる。
【実施例４】
【００２９】
更に、本発明を適用した第四の実施形態である放送受信記録再生装置について説明する。
構成については、実施例１と同様である。本実施例は、実施例１、実施例２、実施例３に記した機能を全て実装したものである。これにより、ユーザが所望する番組をより精度よく選択して、視聴候補リストを更新することが期待できる。
【００３０】
以上、本発明では放送受信記録再生装置において、ユーザが視聴中の番組に関する情報を、一定時間前から現在に至る範囲で収集し続けながら、頻出するキーワードを抽出し、電子番組表や、コンテンツリスト（記録済みのものや、ネットワークで配信されるものを含む）から関連するものを自動的に表示、記録再生するためのリストに登録あるいは更新する。ユーザが本発明の機能を有効化した際に、自動的に番組を切り替えながら連続して視聴できる環境を提供することで、使い勝手を向上する。
【図面の簡単な説明】
【００３１】
【図１】本発明の一実施形態であるレコーダの構成図である。
【図２】本発明の一実施形態であるレコーダで扱う、キーワードや視聴候補リストの構造を示す図である。
【図３】本発明の一実施形態であるレコーダで扱う、表示画面の例を示した図である。
【図４】本発明の一実施形態であるレコーダによる、特報モードの動作フローを示した図である。
【符号の説明】
【００３２】
１００…レコーダ、１０１…外部機器、１０２…ネットワーク、１０３…システム制御回路、１０４…外部入力制御回路、１０５…CODEC回路、１０６…記録制御回路、１０７…HDD、１０８…表示制御回路、１０９…表示装置、１１０…有線ネットワーク制御回路、１１１…暗号化／複合化回路、１１２…復調回路、１１３…アンテナ、１１４…外部入力端子、１１５…ＤＶＤ。
【図１】
2008118315.tif 000003
【図２】
2008118315.tif 000004
【図３】
2008118315.tif 000005
【図４】
2008118315.tif 000006